(57)【要約】【課題】多層光ディスクへの記録再生時において、目的層以外からの反射光である迷光の影響を受けにくい光ピックアップ装置、ならびに隣接トラックからのクロストークの影響を受けにくいマルチビーム光ピックアップ装置を提供する。【解決手段】光ピックアップ装置において、光ディスク１２からの戻り光を第１のホログラム５２で回折させた後、第２のホログラム５３で再び回折させる。第２のホログラム５３上では、メインビームとサブビームが分離されており、メインビームに対するホログラム領域とサブビームに対するホログラム領域とでそれぞれ異なる方向に回折される。【選択図】図１
2007242186.tif 000002
【特許請求の範囲】
【請求項１】
レーザ光を出射する発光部と、
前記発光部から出射された１個のビームから、メインビームと複数のサブビームとを生成する回折格子と、
前記メインビームと前記複数のサブビームとを光ディスク上に形成された複数のトラックに集光させるための対物レンズと、
前記対物レンズと前記発光部との間に配置され、前記メインビームの光ディスクからの反射光である第１の反射光と、前記複数のサブビームの光ディスクからの反射光である第２の反射光とを、前記発光部から出射されたビームに対し分岐させる光分岐手段と、
前記第１の反射光と前記第２の反射光とを回折させる第１のホログラムと、
前記第１のホログラムで回折された前記第１の反射光および前記第２の反射光の少なくとも一部を再び回折させる第２のホログラムと、
前記第２のホログラムで回折された前記第１の反射光および前記第２の反射光の少なくとも一部をそれぞれ受光する複数の受光部を有する光検出器とを備え、
前記第２のホログラム上において前記第１の反射光と前記第２の反射光とは相互に分離されており、それぞれに対応する前記第２のホログラムに形成されたホログラム領域で回折される、光ピックアップ装置。
【請求項２】
前記第１のホログラムは複数の領域を有している、請求項１に記載の光ピックアップ装置。
【請求項３】
前記複数の受光部のうち、前記メインビームと前記サブビームを用いたトラックエラー信号生成のために前記第１の反射光と前記第２の反射光の少なくとも一部を受光しその受光光量に応じた信号を出力する複数の受光部は、前記回折格子の格子方向と直交する方向に対して傾斜する方向に配列されている請求項１または２に記載の光ピックアップ装置。
【請求項４】
前記光ディスクは、複数の記録層を有し、
前記複数の受光部のうち、前記メインビームと前記サブビームを用いたトラックエラー信号生成のために前記第１の反射光と前記第２の反射光の少なくとも一部を受光しその受光光量に応じた信号を出力する複数の受光部は、前記回折格子の格子方向と略直交する方向に配列されており、さらに、前記サブビームを受光するための複数の受光部は、前記光ディスクの記録または再生の対象としている記録層以外の記録層で反射した迷光が入射しない位置に配置されている、請求項１または２に記載の光ピックアップ装置。
【請求項５】
前記メインビームと前記サブビームとの光量比は、１０：１ないし２０：１である、請求項３または４に記載の光ピックアップ装置。
【請求項６】
前記複数の受光部のうち一部の受光部は、前記回折格子の格子方向と略直交する方向に配列され、残りの受光部は、前記回折格子の格子方向と略直交する方向に配列された受光部の列からずれて配置されている、請求項１または２に記載の光ピックアップ装置。
【請求項７】
前記回折格子および前記第２のホログラムは同一平面上に位置している、請求項１から６のいずれかに記載の光ピックアップ装置。
【発明の詳細な説明】
【技術分野】
【０００１】
この発明は、光ディスク等の情報記録媒体に光学的に情報を記録または再生する光ディスク装置に用いられる光ピックアップ装置に関する。
【背景技術】
【０００２】
（１）光ピックアップ装置の小型化、薄型化および高信頼性化を図る手段としてホログラムを用いたものが提案されている。特許文献１（特開平１０−２６９５８８号公報）に記載されているホログラムは、光ディスクの半径方向に２分割されており、かつ、それぞれが、さらにトラック方向に２分割されている。光ディスクからの反射ビームの半分でフォーカスエラー信号を検出し、反射ビーム全面で情報信号を検出する。
【０００３】
この装置においてトラックエラー信号は、対角位置にある２つの受光部で受光された信号の和信号と、もう一方の対角位置にある２つの受光部で受光された信号の和信号の位相差を比較演算することで、トラックに対する位置信号、いわゆる位相差信号（ＤＰＤ（Differential Phase Detection）信号）を検出できる構成となっている。
【０００４】
ここで、ＤＰＤ信号に関しては、再生専用ディスクおよび既に信号が記録されている記録ディスクにおいて検出可能である。また、情報記録層を１層有する再生専用ディスクだけでなく、情報記録層を２層有する再生専用ディスク（たとえば２層ＤＶＤ−ＲＯＭ（Digital Versatile Disc-Read Only Memory）に対しても何ら問題なく使用できることが知られている。
【０００５】
（２）ところが、ＤＰＤ信号は既に記録されているピットからの回折パターンを用いて検出されるため、未記録ディスクにおいては検出することができない。そのため、未記録ディスクに対するトラックサーボにおいては、プッシュプル法（ＰＰ法）やディファレンシャルプッシュプル法（ＤＰＰ法）が用いられる。
【０００６】
プッシュプル法（ＰＰ法）やディファレンシャルプッシュプル法（ＤＰＰ法）は、複数の受光部の光量差を検出することで、ディトラック量を検出する手法であり、光量差が無い場合をジャストオントラックと判断する。
【０００７】
ここで、たとえばＰＰ法の場合、ディスクの反射光の左右の光量分布の差を２分割光検出器により検出してトラッキングエラー信号を生成する。しかし、対物レンズがラジアル方向に移動した場合、ディスクからの反射光の光軸がずれ、２分割光検出器の中心からビームの中心がずれる。また、ディスクが傾いた場合も、同様に反射光のビーム中心がずれる。いずれの場合も、トラッキングが合っているにもかかわらず、２分割光検出器の差動信号にオフセットが発生し、ディトラックと判定されてしまう。
【０００８】
一方、ＤＰＰ法の場合は、ＰＰ法の場合に発生するオフセットを抑制することが可能であり、未記録ディスクに対するトラッキング法として広く用いられている。ＤＰＰ法を使用することができる光集積化ユニットを開示したものとして、特許文献２（特開２００１−２７３６６６号公報）がある。
【０００９】
（３）ＤＰＰ法では、レーザ光を出射する発光部からのビームを、回折格子によりメインビームと前後サブビームの３ビームに分割する。このとき、光ディスク上でのメインビーム位置に対し、光ディスク上での前後サブビームの位置を±１／２トラックピッチだけずらすようにする。これにより、メインビームのプッシュプル信号と前後サブビームのプッシュプル信号を検出し、それらの差動をとることでオフセットの無いトラッキング信号を得る方式である。
【００１０】
（ＤＰＰ法：メインビームとサブビームの光量比について）
上記ＤＰＰ法を用いて、ＤＶＤ±Ｒディスクに情報を記録する場合、記録速度は、メインビームの光強度の二乗に比例するため、高速記録するには、メインビームの光強度をできるだけ大きくする必要がある。そのため、上記ＤＶＤ±Ｒディスクに情報を記録する場合には、メインビームと前後サブビームの強度比は、たとえば、１０：１や２０：１に設定される。その結果、サブビームの光強度はかなり小さくなってしまう。この場合には、上記サブビームを検出する受光部は、メインビームよりも非常に小さい光強度の光ビームを検出することとなる。
【００１１】
（ＤＰＰ法：回折格子の格子方向について）
上記ＤＰＰ法を用いて、ＤＶＤ±Ｒディスクに情報を記録する場合には、回折格子の格子方向を以下のように設定する必要がある。今、回折格子の格子方向が光ディスクの半径方向にある場合を考えると、サブビームは回折格子の格子方向に対し直交方向に回折されるため、光ディスク上での前後サブビームの位置は、メインビームと同一トラック上に位置することとなる。そこで、この状態に対し回折格子の格子方向を数度傾けることで、光ディスク上での前後サブビームの位置を、メインビーム位置に対し±１／２トラックピッチだけずらすことができ、ＤＰＰ法に適した前後サブビームの位置とすることができる。
【００１２】
（４）一方、光ピックアップ装置として、複数の光ビームを１つの光ピックアップで発生させ、同時に複数のトラックに集光させて該複数のトラックから同時に情報の再生・記録を行なうマルチビーム光ピックアップ装置が提案されている。複数ビームを発生させる方法自体は、従来からＣＤ（Compact Disc）やＬＤ（Laser Disc）などで用いられる３ビーム法等のトラッキングサーボ信号検出法として用いられており、同じ構成を高速再生用のマルチビーム光ピックアップ装置として適用しようというものである。
【００１３】
マルチビーム光ピックアップ装置において、隣接したトラックからの複数ビームによるクロストークの除去方法が、特許文献３（特開平９−７２１９号公報）に開示されている。
【００１４】
（５）光ピックアップ装置において、第１ホログラムでの回折光を第２ホログラムで再び回折させる技術が、特許文献４（特開平５−３０３７５７号公報）に開示されている。
【００１５】
（６）また、別の光ピックアップ装置を開示したものとして、特許文献５（特開２００４−１９２７７６号公報）がある。特許文献５に開示された光ピックアップ装置においては、往路１ビーム（発光部からの出射光）に対し、復路（光ディスクからの反射光）を３ビームとすることで、往路が１ビームの場合においてもオフセットの無いトラッキング信号を得ている。これにより、メインビームの光強度を大きくすることができ、高速記録に有利な光ピックアップ装置を構成している。
【００１６】
特許文献５には、分岐された発光部からの出射光を、光ディスクで反射させ、反射光を回折格子にて３ビームに分割した後、それらの３ビームをホログラムで再び回折させる構成が開示されている。
【特許文献１】特開平１０−２６９５８８号公報
【特許文献２】特開２００１−２７３６６６号公報
【特許文献３】特開平９−７２１９号公報
【特許文献４】特開平５−３０３７５７号公報
【特許文献５】特開２００４−１９２７７６号公報
【発明の開示】
【発明が解決しようとする課題】
【００１７】
（１）情報記録層を２層以上有する記録ディスクに対して情報を記録再生する光ピックアップ装置について
背景技術で述べたように、情報記録層を２層有する再生専用ディスク（２層ＤＶＤ−ＲＯＭ）に対しては、位相差信号（ＤＰＤ信号）が用いられてきた。この場合、メインビームのみでトラックエラー信号を得ることができる。
【００１８】
しかしながら、近年、情報記録層を２層以上有する記録ディスク、およびそのような記録ディスクに対して情報を記録再生する光ピックアップ装置の研究開発が行なわれている。情報記録層を２層以上有する記録ディスクを記録再生する場合には、トラックサーボとしてはディファレンシャルプッシュプル法（ＤＰＰ法）が用いられる。
【００１９】
この際、複数の記録層が積層された光ディスクに対して、情報の再生または情報の記録を行なう場合、情報を再生または記録する層（以下、目的層という）以外の層（以下、目的外層という）で反射した反射光が迷光として受光部に入射する。これら迷光には、メインビームの迷光とサブビームの迷光とが含まれる。
【００２０】
そして、上記迷光は、目的層と目的外層の層間隔分だけディフォーカスした光のために、集光光学系を通過し、受光部に入射する際には、絞られることがない。そのため、情報を再生または記録する目的層で反射した光ビームと比べて、かなり大きな光ビームの状態で受光部に対して照射されることとなる。このように広範囲にわたって照射される迷光は、トラッキング制御用に設けられた各受光部に入射し、トラッキングサーボ信号を算出する場合の誤差となって、正確なトラッキング制御の妨げとなってしまう。
【００２１】
この迷光の光密度（単位面積当りの光量）は、メインビームおよびサブビーム自身の光量と比較すればかなり小さい。しなしながら、メインビームは、サブビームと比較して、もともとの光強度が大きく設定されているため、メインビームに由来する迷光は、トラッキング制御に少なからず悪影響を及ぼす。
【００２２】
そこで、このような迷光の影響を受けないようにする為には、受光部でのメインビームとサブビームとの間隔を大きくする方法が考えられる。しかし、情報を再生または記録する目的層から照射される光ビームと比べてかなり大きな光ビームの状態で照射される、メインビームに由来した迷光を避けるためには、受光部でのメインビームとサブビームとの間隔を大きく離す必要がある。この場合、対物レンズに対しサブビームをかなり大きな角度で入射させることになり、サブビームの光ディスク上での収差が問題となる。
【００２３】
以上の内容について、図面を用いて説明する。図１２は、第１の従来例における光ピックアップ装置の概略構成図である。集積化ユニット４０１は、ＬＤチップ４０２、受光部４３０、回折格子４５１および偏光ホログラム素子４５２を有している。
【００２４】
光学素子４０９は１／４波長板である。ＬＤチップ４０２から出射された図中Ｘ方向の直線偏光は、Ｘ方向に回折格子の格子方向を持つ回折格子４５１により±１次回折光（サブビーム）および０次回折光（メインビーム）となった後、それぞれが１／４波長板により円偏光に変換される。その後、２層光ディスク４１２の光透過層４１２ａを透過し、第１の情報記録層４１２ｂに集光される。この場合、第１の情報記録層４１２ｂが目的層となり、第２の情報記録層４１２ｃが目的外層となる。
【００２５】
図１３は２層光ディスクの第１の情報記録層上でのメインビームとサブビームの配置を示す図である。図１３に示すように、メインビーム４９２に対し、サブビーム４９１，４９３は±１／２トラックピッチずれた状態となっている。
【００２６】
そして、第１の情報記録層４１２ｂからの円偏光の反射光は、１／４波長板４０９により、Ｙ方向の直線偏光に変換される。
【００２７】
対物レンズ４１０、開口絞り４１６、１／４波長板４０９はホルダー４２０に固定されている。２層光ディスクの第１の情報記録層４１２ｂもしくは第２の情報記録層４１２ｃの目標トラックに対する、対物レンズのフォーカス動作およびトラッキング動作の際には、これらは一体駆動される。
【００２８】
第１の情報記録面４１２ｂからの反射光は、ＬＤチップ４０２から出射された図中Ｘ方向の直線偏光ではなく、Ｙ方向の直線偏光となっている。この偏光方向の違いから、反射光は偏光ホログラム素子４５２で回折される。
【００２９】
図１４は、偏光ホログラム素子上での光ディスクからの反射光の状態を示す概略図である。偏光ホログラム素子４５２は、３つの領域４５２ａ，４５２ｂ，４５２ｃにより構成され、それぞれの領域により異なる方向に光ディスクからの反射光４６１，４６２，４６３を回折させることができる。したがって、偏光ホログラム素子４５２にて計９個のビームが発生する。
【００３０】
そして、偏光ホログラム素子４５２で回折された光は、次に光検出器４３０の受光部４３１にて受光される。
【００３１】
図１５は、光検出器上での光ディスクからの反射光の状態を示す概略図である。目的層（この場合は、第１の情報記録層４１２ｂ）からの反射光４６１ａ，４６１ｂ，４６２ａ，４６２ｂ，４６２ｃ，４６３ａ，４６３ｂは、それぞれ受光部４３１Ｈ，４３１Ｇ，４３１Ｄ，４３１Ｃ，（４３１Ａおよび４３１Ｂ），４３１Ｆ，４３１Ｅで受光される。
【００３２】
受光部４３１Ａ，４３１Ｂ，４３１Ｃ，４３１Ｄ，４３１Ｅ，４３１Ｆ，４３１Ｇ，４３１Ｈでの受光量に基づいた出力信号をＳ１，Ｓ２，Ｓ３，Ｓ４，Ｓ５，Ｓ６，Ｓ７，Ｓ８とするとフォーカスエラー信号ＦＥＳは、（Ｓ１−Ｓ２）、トラックエラー信号ＤＰＰは、（Ｓ３−Ｓ４）−Ｋ｛（Ｓ５−Ｓ６）＋（Ｓ７―Ｓ８）｝  （Ｋは定数）の演算を行なうことで得られる。ＲＦ信号（再生信号）は、（Ｓ１＋Ｓ２＋Ｓ３＋Ｓ４）の演算を行なうことで得られる。
【００３３】
ここで、回折格子４５１でのメインビームとサブビームの回折効率比をａ：ｂとするとＫ＝ａ／２ｂとなる。したがって、メインビームとサブビームの回折効率比が１０：１の場合には、Ｋ＝５前後の数字となり、２０：１の場合には、Ｋ＝１０前後となる。
【００３４】
（目的外層からの迷光について）
この場合、光ディスクが２層光ディスク４１２であるため、光検出器４３０上では、目的層（この場合は、第１の情報記録層４１２ｂ）からの反射光以外に、目的外層（この場合は、第２の情報記録層４１２ｃ）からの反射光も発生する。これについて、以下に説明する。
【００３５】
目的外層が目的層に対し奥にある場合、目的外層（この場合は、第２の情報記録層４１２Ｃ）からの反射光は光検出器４３０上での像が反転するため、光検出器４３０上では図１５で示すような反射光４７２ａ，４７２ｂ，４７２ｃとなる。
【００３６】
反射光４７２ｂが受光部４３１Ｅで受光される受光量に基づく出力信号をΔ１とし、反射光４７２ａが受光部４３１Ｅで受光される受光量に基づく出力信号をΔ２とすると、トラックエラー信号ＤＰＰは、（Ｓ３−Ｓ４）−Ｋ［｛（Ｓ５＋Δ１）−（Ｓ６＋Δ２）｝＋（Ｓ７―Ｓ８）］  （Ｋは定数）となる。
【００３７】
Δ１とΔ２とが等しい場合には、影響は少ないと考えられる。しかしながら、対物レンズ４１０がトラッキング制御のため、＋Ｘ方向にシフトした場合、光検出器４３０上でのビームも−Ｘ方向に移動する。ここで、符号が逆になるのは、光ディスクでの反射により像が反転するためである。
【００３８】
その際、Δ１とΔ２とに差が生じ、トラックエラー信号ＤＰＰにオフセットが生じる。このオフセットは、Ｋ値が小さい場合には問題になりにくいが、回折格子４５１でのメインビームの回折効率比ａを大きくした場合には、Ｋ値が大きくなり、その影響度合いが増幅される。そのためトラッキングサーボ信号を算出する場合の誤差となり、正確なトラッキング制御の妨げとなってしまう。
【００３９】
（第２の情報記録層が目的層で、第１の情報記録層が目的外層の場合）
図１６は、第１の情報記録層が目的外層、第２の情報記録層が目的層とした場合の、光検出器上での光ディスクからの反射光の状態を示す図である。目的外層が目的層に対し手前にある場合、目的外層（この場合は、第１の情報記録層４１２ｂ）からの反射光は、光検出器４３０上では、図１６で示すように反射光４７１ａ，４７１ｂ，４７１ｃとなる。この場合にも、目的外層からの反射光４７１ａ，４７１ｂの一部が受光部４３１Ｈ，４３１Ｇで受光されるため、トラックエラー信号ＤＰＰにオフセットが生じることになる。
【００４０】
なお、多層光ディスクの場合には、図１５および図１６に示すような迷光である反射光４７１ａ，４７１ｂ，４７１ｃと反射光４７２ａ，４７２ｂ，４７２ｃとが同時に発生することとなる。
【００４１】
（２）マルチビーム光ピックアップ装置について
マルチビーム光ピックアップ装置においては、特に再生時に複数ビームの信号を別々の異なる光検出器で検出する必要がある。実際には光検出器上での各ビームは、検出系の集光レンズの収差や各部品の組立誤差を含んで、ある大きさのビームスポットとなっており、隣接トラックからのクロストークがなく独立に各ビームを検出するためには光検出器上でビーム間隔をできるだけ大きくする必要がある。光検出器上でのビーム間隔を大きくするためには、ディスク上でのビームピッチを大きくすればそれに比例して大きくなる。
【００４２】
しかし、ディスク上でのビーム間隔を大きくするために回折格子のピッチを狭くして回折角度を大きくしていくと、高次のビームになるほど対物レンズへの入射角が大きくなる。対物レンズには一般的に組立誤差を考慮してある程度許容できる視野角があるが、その範囲内でも徐々に収差が大きくなり、それに伴って許容できる組立誤差が少なくなり生産性が悪化する。
【００４３】
また回折角度が大きくなるにしたがって回折格子によって発生する収差も大きくなるため、ビームピッチを大きく設定しすぎると総合的な性能として高次ビームの特性が悪化してしまう。
【００４４】
以上の内容について、図面を用いて説明する。図１７は、第２の従来例における光ピックアップ装置の概略構成図である。集積化ユニット５０１は、ＬＤチップ５０２、受光部５３０、回折格子５５１、偏光ホログラム素子５５２を有している。
【００４５】
光学素子５０９は１／４波長板である。ＬＤチップ５０２から出射された図中Ｘ方向の直線偏光は、Ｘ方向に回折格子の格子方向を持つ回折格子５５１により、±２次回折光および±１次回折光（ここでは併せてサブビームと称する）ならびに０次回折光（メインビーム）となった後、それぞれが１／４波長板により円偏光に変換される。反射光は、光ディスク５１２の光透過層５１２ａを透過し、情報記録層５１２ｂに集光される。
【００４６】
図１８は、光ディスクの情報記録層上でのメインビームとサブビームの配置を示す図である。図１８に示すように、メインビーム５９２に対し、サブビーム５９０，５９１，５９３，５９４は、それぞれ＋２，＋１，−１，−２トラックピッチずれた状態となっている。
【００４７】
マルチビーム光ピックアップ装置においては、回折格子５５１の溝深さを変えることでメインビーム５９２の光パワーに対する、サブビーム５９０，５９１，５９３，５９４の光パワーを変化させることができる。これにより、光ディスクへの情報の記録もしくは再生を行なうために必要な光パワーが得られる構成となっている。
【００４８】
そして、光透過層５１２ａ、情報記録層５１２ｂからの円偏光の反射光は、１／４波長板５０９により、Ｙ方向の直線偏光に変換される。対物レンズ５１０、開口絞り５１６および光学素子５０９はホルダー５２０に固定されている。これらは、光ディスク５１２の情報記録層５１２ｂ上の目標トラックに対する、対物レンズのフォーカス動作およびトラッキング動作の際に一体駆動される。
【００４９】
情報記録面５１２ｂからの反射光は、ＬＤチップ５０２から出射された図中Ｘ方向の直線偏光ではなく、Ｙ方向の直線偏光となっている。この偏光方向の違いから情報記録面５１２ｂからの反射光のみが偏光ホログラム素子５５２で回折される。
【００５０】
図１９は、偏光ホログラム素子上での光ディスクからの反射光の状態を示す概略図である。偏光ホログラム素子５５２は、３つの領域５５２ａ，５５２ｂ，５５２ｃにより構成され、それぞれの領域により異なる方向に光ディスクからの反射光５６０，５６１，５６２，５６３，５６４を回折させることができる。
【００５１】
そして、偏光ホログラム素子５５２で回折された光は、次に光検出器５３０の受光部５３１にて受光される。図２０は、光検出器上での光ディスクからの反射光の状態を示す概略図である。反射光５６２ａ，５６２ｂ，５６２ｃがそれぞれ受光部５３１Ｃ，５３１Ｄ，（５３１Ａと５３１Ｂ）で受光されている。
【００５２】
受光部５３１Ａ，５３１Ｂ，５３１Ｃ，５３１Ｄでの受光量に基づいた出力信号をＳ１，Ｓ２，Ｓ３，Ｓ４とするとフォーカスエラー信号ＦＥＳは、（Ｓ１−Ｓ２）、トラックエラー信号ＰＰは、（Ｓ３−Ｓ４）の演算を行なうことで得られる。ＲＦ信号（再生信号）は、（Ｓ１＋Ｓ２＋Ｓ３＋Ｓ４）の演算を行なうことで得られる。サブビームによるＲＦ信号（再生信号）は、受光部５３１Ｅ，５３１Ｆ，５３１Ｇ，５３１Ｈでの受光量に基づいた出力信号をＳ５，Ｓ６，Ｓ７，Ｓ８とすると、（Ｓ５＋Ｓ６＋Ｓ７＋Ｓ８）の演算を行なうことにより得られる。
【００５３】
光検出器５３０上での各ビームは、検出系の集光レンズ（ここでは、コリメータレンズ５０８）の収差や各部品の組立誤差を含んである大きさのビームスポットになっている。そのため隣接トラックからのクロストークがなく独立に各ビームを検出するためには、光検出器５３０上でビーム間隔（図２０におけるＴ）をできるだけ大きくする必要がある。
【００５４】
光検出器５３０上でのビーム間隔を大きくするためには、ディスク上でのビームピッチ（図１８におけるｔ）を大きくすることでそれに比例して大きくなる。しかし、ディスク上でのビーム間隔を大きくするために、回折格子のピッチを狭くして回折角度を大きくしていくと、高次のビームになるほど対物レンズへの入射角が大きくなり収差が発生することから、高次ビームの特性が悪化してしまうという問題がある。
【００５５】
したがって、この発明は、上記課題を解決するためになされたものであり、多層光ディスクへの記録再生時において、目的層以外からの反射光である迷光の影響を受けにくい光ピックアップ装置、ならびに隣接トラックからのクロストークの影響を受けにくいマルチビーム光ピックアップ装置を提供することを目的とする。
【課題を解決するための手段】
【００５６】
この発明に基づいた光ピックアップ装置に従えば、レーザ光を出射する発光部と、上記発光部から出射された１個のビームから、メインビームと複数のサブビームとを生成する回折格子と、上記メインビームと上記複数のサブビームとを光ディスク上に形成された複数のトラックに集光させるための対物レンズと、上記対物レンズと上記発光部との間に配置され、上記メインビームの光ディスクからの反射光である第１の反射光と、上記複数のサブビームの光ディスクからの反射光である第２の反射光とを、上記発光部から出射されたビームに対し分岐させる光分岐手段と、上記第１の反射光と上記第２の反射光とを回折させる第１のホログラムと、上記第１のホログラムで回折された上記第１の反射光および上記第２の反射光の少なくとも一部を再び回折させる第２のホログラムと、上記第２のホログラムで回折された上記第１の反射光および上記第２の反射光の少なくとも一部をそれぞれ受光する複数の受光部を有する光検出器とを備えている。上記第２のホログラム上において上記第１の反射光と上記第２の反射光とは相互に分離されており、それぞれに対応する上記第２のホログラムに形成されたホログラム領域で回折される。
【００５７】
この構成によると、第２のホログラムを設けたので、第２のホログラム上において、メインビームに対応した第１の反射光とサブビームに対応した第２の反射光を、それぞれに対応したホログラム領域で回折させることができる。これにより第１の反射光と、第２の反射光の光検出器上での位置を、各反射光に対応した受光部位置に応じて変化させることができる。
【００５８】
上記光ピックアップ装置において、上記第１のホログラムが複数の領域を有していてもよい。第１のホログラムが複数の領域を有することで、第２のホログラム上で、上記第１の反射光と上記第２の反射光とを分離しやすくなり、それぞれに対応したホログラム領域を第２のホログラム上に作成しやすくなる。
【００５９】
上記光ピックアップ装置において、上記複数の受光部のうち、上記メインビームと上記サブビームを用いたトラックエラー信号生成のために上記第１の反射光と上記第２の反射光の少なくとも一部を受光しその受光光量に応じた信号を出力する複数の受光部は、上記回折格子の格子方向と直交する方向に対して傾斜する方向に配列されていてもよい。
【００６０】
この構成によると、上記第１の反射光と上記第２の反射光それぞれ対応する受光部は、上記回折格子の格子方向に対する直交方向とは異なる方向に配置されているので、多層ディスクの迷光が入りにくい構成とすることができる。
【００６１】
上記光ピックアップ装置において、上記光ディスクは、複数の記録層を有し、上記複数の受光部のうち、上記メインビームと上記サブビームを用いたトラックエラー信号生成のために上記第１の反射光と上記第２の反射光の少なくとも一部を受光しその受光光量に応じた信号を出力する複数の受光部は、上記回折格子の格子方向と略直交する方向に配列されており、さらに、上記サブビームを受光するための複数の受光部は、上記光ディスクの記録または再生の対象としている記録層以外の記録層で反射した迷光が入射しない位置に配置されていてもよい。
【００６２】
この構成によると、光ディスク上のメインビームとサブビームの間隔に対して、光検出器上での第１の反射光と第２の反射光との間隔を広くすることができる。これにより、光ディスク上でサブビームの収差を大きくすることなく、多層光ディスクで発生する迷光が入射しない程度に複数の受光部の間隔を広くすることができる。
【００６３】
上記光ピックアップ装置において、上記メインビームと上記サブビームとの光量比は、１０：１ないし２０：１としてもよい。メインビームに対して、サブビームの光量比が小さい場合でも、正確かつ安定してトラッキング制御を行なうことができる。よって、メインビームの光強度を大きくすることができるため、光ディスクへの高速記録が可能となる。
【００６４】
上記光ピックアップ装置において、上記複数の受光部のうち一部の受光部は、上記回折格子の格子方向と略直交する方向に配列され、残りの受光部は、上記回折格子の格子方向と略直交する方向に配列された受光部の列からずれて配置してもよい。
【００６５】
上記光ピックアップ装置において、上記回折格子および上記第２のホログラムは同一平面上に形成されていてもよい。上記回折格子と上記第２のホログラムとが同一平面上に形成されていることにより、光ピックアップ装置の小型化が可能となる。
【発明の効果】
【００６６】
本発明に係る光ピックアップ装置によると、多層光ディスクへの記録再生時において、目的層以外からの反射光である迷光の影響を受けにくい光ピックアップ装置、ならびに隣接トラックからのクロストークの影響を受けにくいマルチビーム光ピックアップ装置を提供することができる。
【発明を実施するための最良の形態】
【００６７】
（実施の形態１）
以下、本発明に係る実施の形態１について、図１から図５を参照して説明する。図１は本実施の形態の光ピックアップ装置の概略構成図である。
【００６８】
本実施の形態の集積化ユニット１は、図１に示すように、ＬＤチップ２、光検出器３０、回折格子５１、第１のホログラム５２、第２のホログラム５３を有している。
【００６９】
以下、第１のホログラム５２は偏光ホログラム素子として、第２のホログラムは無偏光ホログラム素子として説明する。ここで、偏光ホログラム素子は、光の偏光方向により、光を透過させたり、回折させたりする素子である。偏光ホログラム素子を用いることで、往路光と復路光とを光分岐する手段の役割も兼ねることができる。一方、無偏光ホログラムは、偏光方向に関係なく常に光を回折させる作用を持つ素子である。
【００７０】
第１のホログラム５２は、円形の領域を二分割し、その一方をさらに二分割した３つの領域５２ａ，５２ｂ，５２ｃを有している。また、回折格子５１と第２のホログラム５３とは同一平面上に位置している。
【００７１】
回折格子５１は、０次透過光、±１次回折光のみが発生するように回折格子の格子幅、溝深さ、格子間隔が決められている。ここでは０次透過光（メインビーム）と±１次回折光（サブビーム）との強度比が、１０：１ないし２０：１となるように、回折格子５１が構成されている。また、図１に示すように、ここでは、情報記録媒体として、二つの情報記録層１２ｂ，１２ｃを有する２層光ディスク１２を用いている。
【００７２】
光学素子９は１／４波長板である。ＬＤチップ２から出射された図中Ｘ方向の直線偏光は、Ｘ方向に回折格子の格子方向を持つ回折格子５１にて±１次回折光（サブビーム）および０次回折光（メインビーム）となった後、それぞれが１／４波長板である光学素子９により円偏光に変換される。その後、２層光ディスク１２の光透過層１２ａを透過し、第１の情報記録層１２ｂに集光される。この場合、第１の情報記録層１２ｂが目的層となり、第２の情報記録層１２ｃが目的外層となる。
【００７３】
２層光ディスク１２の第１の情報記録層１２ｂ上では、メインビームに対し、サブビームが±１／２トラックピッチずれた位置に照射されている。
【００７４】
そして、第１の情報記録層１２ｂからの円偏光の反射光は、１／４波長板である光学素子９により、Ｙ方向の直線偏光に変換される。
【００７５】
対物レンズ１０、開口絞り１６、光学素子９はホルダー２０に固定されており、２層光ディスクの第１の情報記録層１２ｂもしくは第２の情報記録層１２ｃの目標トラックに対する、対物レンズのフォーカス動作およびトラッキング動作の際に、一体駆動される。
【００７６】
第１の情報記録層１２ｂからの反射光は、ＬＤチップ２から出射された図１中のＸ方向の直線偏光ではなく、Ｙ方向の直線偏光となっている。その偏光方向の違いから反射光は偏光ホログラム素子である第１のホログラム５２で回折される。このように、本実施の形態では、偏光ホログラム素子である第１のホログラム５２は、ＬＤチップ２からの出射光と２層光ディスク１２からの反射光とを分岐させる光分岐手段の役割と、２層光ディスクからの反射光を回折させる回折手段の役割とを有している。
【００７７】
図２は、偏光ホログラム素子上での２層光ディスクからの反射光の状態を示す概略図である。第１のホログラム５２は、上述のように３つの領域５２ａ，５２ｂ，５２ｃを有しており、それぞれの領域により異なる方向に光ディスクからの反射光６１，６２，６３を回折させる。これにより第１のホログラム５２にて計９個のビームが発生する。そして、第１のホログラム５２で回折された光は、第２のホログラム５３に入射してこれにより再び回折される。
【００７８】
図３は、第２のホログラム上での２層光ディスクからの反射光の状態を示す概略図である。無偏光ホログラム素子である第２のホログラム５３は、領域５３ａ，５３ｂ，５３ｃ，５３ｄ，５３ｅ，５３ｆ，５３ｇにより構成され、それぞれの領域により２層光ディスク１２からの反射光６１，６２，６３を異なる方向に回折させる。
【００７９】
図４は、光検出器上での光ディスクからの反射光の状態を示す概略図である。ここで特に重要なのは、トラックエラー信号の検出に必要なメインビームの２層光ディスク１２からの反射光６２ａに対し、サブビームの２層光ディスク１２からの反射光６１ａ，６３ａを−Ｘ方向と＋Ｘ方向とにそれぞれずらすように回折させると共に、図４に示すように、これに対応するように受光部３１Ｈ，３１Ｆの位置が設定されている点である。この場合、受光部３１Ｆ，３１Ｄ，３１Ｈは、回折格子５１の格子方向（図４におけるＸ方向）と略直交する方向に対して、各受光部３１Ｆ，３１Ｄ，３１Ｈを結ぶ線が傾斜するように配置されている。
【００８０】
同様に、トラックエラー信号に必要なメインビームの２層光ディスク１２からの反射光６２ｂに対し、サブビームの２層光ディスク１２からの反射光６１ｂ，６３ｂを−Ｘ方向と＋Ｘ方向とにずらすように回折させると共に、図４に示すように、これに対応するように受光部３１Ｇ，３１Ｅの位置が設定されている。この場合、受光部３１Ｇ，３１Ｃ，３１Ｅは、回折格子５１の格子方向（図４におけるＸ方向）と略直交する方向に対して、各受光部３１Ｇ，３１Ｃ，３１Ｅを結ぶ線が傾斜するように配置されている。
【００８１】
第２のホログラム５３で回折された２層光ディスク１２からの反射光は、光検出器３０の受光部３１にて受光される。目的層（この場合は、第１の情報記録層１２ｂ）からの反射光６１ａ，６１ｂ，６２ａ，６２ｂ，６２ｃ，６３ａ，６３ｂは、それぞれ受光部３１Ｈ，３１Ｇ，３１Ｄ，３１Ｃ，（３１Ａおよび３１Ｂ），３１Ｆ，３１Ｅで受光している。
【００８２】
受光部３１Ａ，３１Ｂ，３１Ｃ，３１Ｄ，３１Ｅ，３１Ｆ，３１Ｇ，３１Ｈでの受光量に基づいた出力信号をＳ１，Ｓ２，Ｓ３，Ｓ４，Ｓ５，Ｓ６，Ｓ７，Ｓ８とするとフォーカスエラー信号ＦＥＳは、（Ｓ１−Ｓ２）、トラックエラー信号ＤＰＰは、（Ｓ３−Ｓ４）−Ｋ｛（Ｓ５−Ｓ６）＋（Ｓ７―Ｓ８）｝  （Ｋは定数）の演算を行なうことで得られる。ＲＦ信号（再生信号）は、（Ｓ１＋Ｓ２＋Ｓ３＋Ｓ４）の演算を行なうことで得られる。
【００８３】
（目的外層からの迷光について）
図４に示すように迷光には、目的外層が目的層に対し奥にある場合の目的外層（この場合は、第２の情報記録層１２ｃ）からの反射光７２ａ，７２ｂ，７２ｃと、目的外層が目的層に対し手前にある場合の目的外層（この場合は、第１の情報記録層１２ｂ）からの反射光７１ａ、７１ｂ、７１ｃとがある。
【００８４】
２層光ディスク１２においては、反射光７２ａ，７２ｂ，７２ｃと反射光７１ａ，７１ｂ，７１ｃとが同時に発生することはなく、発生するのはいずれか一方のみであるが、多層光ディスク場合にはこれらが同時に発生する。
【００８５】
実施の形態１においては、図４に示すように、第２のホログラム５３を設けたことにより、受光部３１Ｈ，３１Ｆ，３１Ｇ，３１Ｅに、目的外層からの迷光７２ａ，７２ｂ，７１ａ，７１ｂが入りにくい構成となっている。これによりトラックエラー信号ＤＰＰ＝（Ｓ３−Ｓ４）−Ｋ｛（Ｓ５−Ｓ６）＋（Ｓ７―Ｓ８）｝にオフセットが生じにくくなる。その結果、安定したトラッキング制御を行なうことができる。
【００８６】
また、本実施の形態の光ピックアップ装置によると、メインビームに対して、サブビームの光量比が小さい場合でも、正確かつ安定してトラッキング制御を行なうことができる。これにより、メインビームの光強度を大きくすることができ、たとえば、本実施の形態のように、メインビームとサブビームとの光量比を、１０：１ないし２０：１とすることができる。メインビームの光強度を大きくすることで、光ディスクへの高速記録が可能となる。
【００８７】
さらに、第２のホログラム５３は、第１の反射光と第２の反射光のそれぞれに対応する領域５３ａ，５３ｂ，５３ｃ，５３ｄ，５３ｅ，５３ｆ，５３ｇを有しているので、各領域により、第１の反射光と第２の反射光のそれぞれに最適な収差補正が可能となる。これにより、メインビームおよびサブビームの受光部３１上でのビームを小さくすることができる。
【００８８】
図５は、２層光ディスクの層間距離が小さい場合における光検出器上での光ディスクからの反射光の状態を示す概略図である。２層光ディスク１２の層間距離が小さい場合には、目的外層からの迷光７２ａ，７２ｂ，７２ｃ，７１ａ，７１ｂ，７１ｃのサイズが小さくなるため、第２のホログラム５３での回折方向を±Ｙ方向とすることで、目的外層からの迷光が入りにくい構成とすることができる。
【００８９】
図５に示した実施の形態１の変形例においては、トラックエラー信号の検出に必要なメインビームの２層光ディスク１２からの反射光６２ａに対し、サブビームの２層光ディスクからの反射光６１ａ，６３ａを−Ｙ方向と＋Ｙ方向にずらすように回折させ、これに対応して受光部３１Ｈ，３１Ｆの位置を−Ｙ方向と＋Ｙ方向にずらしている。この場合、受光部３１Ｆ，３１Ｄ，３１Ｈは、回折格子５１の格子方向（図５におけるＸ方向）と略直交する方向に沿って配置されている。
【００９０】
同様にトラックエラー信号の検出に必要なメインビームの２層光ディスク１２からの反射光に対し、サブビームの２層光ディスクからの反射光６１ｂ，６３ｂを−Ｙ方向と＋Ｙ方向にずらすように回折させ、これに対応して受光部３１Ｇ，３１Ｅの位置を−Ｙ方向と＋Ｙ方向にずらしている。この場合、受光部３１Ｇ，３１Ｃ，３１Ｅは、回折格子５１の格子方向と略直交する方向に沿って配置されている。
【００９１】
上記の光ピックアップ装置においては、第２のホログラム５３で±１次回折光が生じるが、第２ホログラム５３をブレーズ化してもよい。ブレーズ化とは鋸歯状のホログラムを用いることである。鋸歯状のホログラムにより入射光が屈折される方向と、たとえば特定の回折次数の回折方向とを一致させることで、ｍ次の回折光強度を大きくすることができる。
【００９２】
これにより、±１次回折光のうち、特定の回折次数の光のみを発生させることができると共に第２のホログラムで不要な回折光が発生しないため、第２のホログラムによる光利用効率を高くすることができる。
【００９３】
上述した本実施の形態の光ピックアップ装置においては、第１のホログラムが３分割されている場合について説明したが、本発明は、第１のホログラムが２分割や４分割されているものを用いる場合に対しても適用可能である。また、本発明は、第１のホログラムとして、光分岐手段の作用のみを有する分割されていない偏光ホログラムを用いる場合にも適用可能である。
【００９４】
さらに、上述した本実施の形態の光ピックアップ装置では、情報記録媒体が２層光ディスクの場合について説明したが、本発明は、情報記録媒体が多層光ディスクの場合に対しても適用可能である。
【００９５】
加えて、本実施の形態の第２ホログラム５３として、無偏光のブレーズホログラムを用いることも可能である。
【００９６】
（実施の形態２）
図６は、本実施の形態における光ピックアップ装置の概略構成図である。集積化ユニット１０１は、ＬＤチップ１０２、受光部１３０、回折格子１５１、第１のホログラム１５２、第２のホログラム１５３を有している。ここでは、第１のホログラム１５２として偏光ホログラムを用い、第２のホログラム１５３として無偏光ホログラムを用いる場合について説明する。なお、本実施の形態では、偏光ホログラム素子１５２がＬＤチップ１０２からの出射光と２層光ディスク１１２からの反射光を分岐させる光分岐手段の役割と、２層光ディスク１１２からの反射光を回折させる回折手段の役割とを有している。
【００９７】
回折格子１５１での回折光は、０次透過光、±１次回折光、±２次回折光などが発生するが、回折格子の格子幅、溝深さ、格子間隔を変えることで、０次透過光、±１次回折光、±２次回折光の光量比を変化させることができる。
【００９８】
特定の次数の回折光の光量比を変化させることができるため、２次回折光以上の比率を小さくした場合には、ホログラム上では３個のビームと見なすことができ、２次回折光の比率を大きくした場合には、ホログラム上では５個のビームとすることができる。
【００９９】
また、光学素子１０９は１／４波長板である。ＬＤチップ１０２から出射された図６におけるＸ方向の直線偏光は、Ｘ方向に回折格子の格子方向を持つ回折格子１５１にて±２次回折光と±１次回折光（合わせてサブビームと呼ぶ）および０次回折光（メインビーム）となった後、それぞれが１／４波長板である光学素子１０９により円偏光に変換される。その後、２層光ディスク１１２の光透過層１１２ａを透過し、情報記録層１１２ｂに集光される。
【０１００】
そして、光透過層１１２ａ、情報記録層１１２ｂからの円偏光の反射光は、１／４波長板である光学素子１０９により、Ｙ方向の直線偏光に変換される。対物レンズ１１０、開口絞り１１６および光学素子１０９はホルダー１２０に固定されており、光ディスクの情報記録層１１２ａもしくは情報記録層１１２ｂの目標トラックに対する、対物レンズのフォーカス動作およびトラッキング動作の際に、一体駆動される。
【０１０１】
情報記録面１１２ｂからの反射光は、ＬＤチップ１０２から出射された図中Ｘ方向の直線偏光ではなく、Ｙ方向の直線偏光となっている。この偏光方向の違いにより、情報記録面１１２ｂからの反射光のみが偏光ホログラム素子１５２で回折される。
【０１０２】
図７は、偏光ホログラム素子上での光ディスクからの反射光の状態を示す概略図である。偏光ホログラムである第１のホログラム１５２は、３つの領域１５２ａ，１５２ｂ，１５２ｃにより構成され、それぞれの領域により異なる方向に光ディスクからの反射光１６０，１６１，１６２，１６３，１６４を回折させる。
【０１０３】
そして、第１のホログラム１５２で回折された光は、第２のホログラム１５３で再び回折される。
【０１０４】
図８は、第２のホログラムでの光ディスクからの反射光の状態を示す概略図である。第２のホログラム１５３は、領域１５３ａ，１５３ｂ，１５３ｃ，１５３ｄ，１５３ｅにより構成され、それぞれの領域により異なる方向に光ディスクからの反射光１６０，１６１，１６２，１６３，１６４を回折させる。
【０１０５】
ここで、特に重要なのは、第２のホログラム１５３により、サブビームの光ディスク１１２からの反射光１６１，１６３を、メインビームの反射光１６２および他のサブビームの反射光１６０，１６４に対し、＋Ｘ方向にずらして回折させると共に、図９に示すようにこれに対応して、受光部１３１Ｆ，１３１Ｇの位置を他の受光部に対し、＋Ｘ方向にずらして配置した点である。図９は、光検出器上での光ディスクからの反射光の状態を示す概略図である。図９に示すように、一部の受光部１３１Ｅ，１３１Ｃ，１３１Ｂ，１３１Ｄ，１３１Ｈは、回折格子５１の格子方向（図９におけるＸ方向）と略直交する方向に配列し、残りの受光部１３１Ｆ，１３１Ｇをこれらの列からずらして配置している。
【０１０６】
これにより光ディスク上でのビームピッチを大きくすることなく、光検出器１３０上でのビーム間隔を大きくすることができ、隣接トラックからのクロストークの影響が少ない光ピックアップ装置を構成することができる。
【０１０７】
なお、図９では、反射光１６２ａ，１６２ｂ，１６２ｃがそれぞれ受光部１３１Ｃ，１３１Ｄ，（１３１Ａおよび１３１Ｂ）で受光されている。受光部１３１Ａ，１３１Ｂ，１３１Ｃ，１３１Ｄでの受光量に基づいた出力信号をＳ１，Ｓ２，Ｓ３，Ｓ４とするとフォーカスエラー信号ＦＥＳは、（Ｓ１−Ｓ２）、トラックエラー信号ＰＰは、（Ｓ３−Ｓ４）の演算を行なうことで得られる。ＲＦ信号（再生信号）はビーム全体において（Ｓ１＋Ｓ２＋Ｓ３＋Ｓ４）の演算を行なうことで得られる。サブビームによるＲＦ信号（再生信号）は、受光部１３１Ｅ，１３１Ｆ，１３１Ｇ，１３１Ｈでの受光量に基づいたそれぞれの出力信号Ｓ５，Ｓ６，Ｓ７，Ｓ８により得られる。
【０１０８】
図１０は、本実施の形態の変形例における光検出器上での反射光の状態を示す概略図である。図１０に示すように、この変形例においては、第２のホログラム１５３において、サブビームの光ディスク１２１からの反射光である反射光１６０，１６１をメインビームの反射光である反射光１６２に対し、−Ｙ軸方向にずらして回折させている。また、サブビームの光ディスク１２１からの反射光である反射光１６３，１６４をメインビームの反射光である反射光１６２に対し、＋Ｙ軸方向にずらして回折させている。そして、これに対応する位置に、光検出器１３０上の受光部１３１Ａ〜１３１Ｈを配置している。
【０１０９】
この変形例においても光ディスク上でのビーム間のピッチを大きくすることなく、図１０に示すように、光検出器１３０上でのビーム間隔を大きくすることができ、隣接トラックからのクロストークの影響が少ない光ピックアップ装置を構成することができる。
【０１１０】
また、マルチビーム光ピックアップ装置では、高次のサブビームになるほど対物レンズへの入射角が大きくなり収差が発生するが、第２のホログラム上において、メインビームのみでなく、サブビームに対しても最適となる収差補正を行なうことが可能であることから、受光部上でのビームサイズを小さくすることができる。
【０１１１】
上記において、第２ホログラム１５２では±１次回折光が生じるが、第２ホログラム１５２をブレーズ化してもよい。ブレーズ化することにより、±１次回折光の内、実際に使用する光のみを発生させることができると共に、不要な回折光が発生しないので、第２ホログラムによる光利用効率を高くすることができる。
【０１１２】
（実施の形態３）
図１１は、本実施の形態の光ピックアップ装置の概略構成図である。
【０１１３】
実施の形態１では、偏光ホログラム素子である第１のホログラム５２が、ＬＤチップ２からの出射光と２層光ディスク１２からの反射光とを分岐させる光分岐手段の役割と、２層光ディスク１２からの反射光を回折させる回折手段の役割とを有している場合について説明した。
【０１１４】
これに対し、本実施の形態では、光分岐手段としての役割と、２層光ディスクからの反射光を回折させる役割とを、別々の素子に持たせている。実施の形態１と同様の役割をなす構成には同一の符号を付与し、その説明は繰り返さない。ここでは、実施の形態１と異なる構成のみ説明する。
【０１１５】
本実施の形態では、集積化ユニット２０１は、ＬＤチップ２、光検出器３０、回折格子５１、偏光ビームスプリッタ２５４、第１のホログラム２５２、第２のホログラム５３で構成している。
【０１１６】
２層光ディスク１２からの反射光は、ＬＤチップ２から出射された図中Ｘ方向の直線偏光ではなく、Ｙ方向の直線偏光となっている。その偏光方向の違いから、反射光は偏光ビームスプリッタ２５４の反射面２５４ａで反射され、再び反射面２５４ｂで反射される。
【０１１７】
第１のホログラム２５２は、２層光ディスクからの反射光を回折させる役割を持てばよいため、ここでは無偏光ホログラムを用いている。第１のホログラム２５２で回折された光は、第２のホログラム５３で再び回折される。
【０１１８】
本実施の形態においても、実施の形態１と同様に、第２のホログラム５３を設けたことで、受光部に目的外層からの迷光が入りにくい構成となっている。これにより、トラックエラー信号ＤＰＰにオフセットが生じにくくなる。その結果、安定したトラッキング制御を行なうことができる。
【０１１９】
実施の形態２では、偏光ホログラム素子１５２が、ＬＤチップ１０２からの出射光と２層光ディスク１１２からの反射光とを分岐させる光分岐手段の役割と、２層光ディスク１１２からの反射光を回折させる回折手段の役割とをもっているとして説明したが、実施の形態２の場合においても光分岐手段としての役割と、２層光ディスクからの反射光を回折させる役割を別々の素子に持たせることが可能である。
【０１２０】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【０１２１】
【図１】この発明に基づいた実施の形態１における光ピックアップ装置の概略構成図である。
【図２】この発明に基づいた実施の形態１における偏光ホログラム素子上での２層光ディスクからの反射光の状態を示す概略図である。
【図３】この発明に基づいた実施の形態１における第２のホログラム上での２層光ディスクからの反射光の状態を示す概略図である。
【図４】この発明に基づいた実施の形態１における光検出器上での光ディスクからの反射光の状態を示す概略図である。
【図５】この発明に基づいた実施の形態１における２層光ディスクの層間距離が小さい場合における光検出器上での光ディスクからの反射光の状態を示す概略図である。
【図６】この発明に基づいた実施の形態２における光ピックアップ装置の概略構成図である。
【図７】この発明に基づいた実施の形態２における偏光ホログラム素子上での光ディスクからの反射光の状態を示す概略図である。
【図８】この発明に基づいた実施の形態２における第２のホログラムでの光ディスクからの反射光の状態を示す概略図である。
【図９】この発明に基づいた実施の形態２における光検出器上での光ディスクからの反射光の状態を示す概略図である。
【図１０】この発明に基づいた実施の形態２における変形例の光検出器上での光ディスクからの反射光の状態を示す概略図である。
【図１１】この発明に基づいた実施の形態３における光ピックアップ装置の概略構成図である。
【図１２】第１の従来例における光ピックアップ装置の概略構成図である。
【図１３】第１の従来例における２層光ディスクの第１の情報記録層上でのメインビームとサブビームの配置を示す図である。
【図１４】第１の従来例における偏光ホログラム素子上での光ディスクからの反射光の状態を示す概略図である。
【図１５】第１の従来例における光検出器上での光ディスクからの反射光の状態を示す概略図である。
【図１６】第１の従来例における光検出器上での光ディスクからの反射光の状態を示す図である。
【図１７】第２の従来例における光ピックアップ装置の概略構成図である。
【図１８】第２の従来例における光ディスクの情報記録層上でのメインビームとサブビームの配置を示す図である。
【図１９】第２の従来例における偏光ホログラム素子上での光ディスクからの反射光の状態を示す概略図である。
【図２０】光検出器上での光ディスクからの反射光の状態を示す概略図である。
【符号の説明】
【０１２２】
１  集積化ユニット、２  ＬＤチップ、９，１０９  光学素子、１０，１１０  対物レンズ、１２  ２層光ディスク、１２ｂ，１２ｃ  情報記録層、３０，１３０  光検出器、３１，１３１  受光部、５１，１５１  回折格子、５２，１５２  第１のホログラム、５３，１５３  第２のホログラム。
【図１】
2007242186.tif 000003
【図２】
2007242186.tif 000004
【図３】
2007242186.tif 000005
【図４】
2007242186.tif 000006
【図５】
2007242186.tif 000007
【図６】
2007242186.tif 000008
【図７】
2007242186.tif 000009
【図８】
2007242186.tif 000010
【図９】
2007242186.tif 000011
【図１０】
2007242186.tif 000012
【図１１】
2007242186.tif 000013
【図１２】
2007242186.tif 000014
【図１３】
2007242186.tif 000015
【図１４】
2007242186.tif 000016
【図１５】
2007242186.tif 000017
【図１６】
2007242186.tif 000018
【図１７】
2007242186.tif 000019
【図１８】
2007242186.tif 000020
【図１９】
2007242186.tif 000021
【図２０】
2007242186.tif 000022